(57)【要約】【課題】結紮線の故障リスクを軽減し、結紮線の設置を容易にする歯科矯正ブラケットを提供すること。【解決手段】結紮線を有するアーチワイヤを歯に結合させるための歯科矯正ブラケットは、歯に取り付けられるように構成されたブラケット本体を備える。このブラケット本体は、ブラケット本体の一方側に開いてアーチワイヤを中に受け入れるように適合されたアーチワイヤスロットを備える。少なくとも2つのタイウィングが、ブラケット本体から延在し、少なくとも2つのタイウィングはそれぞれ、先端領域およびタイウィング下方領域を有し、タイウィング下方領域は、結紮線を受けるように構成される。タイウィング下方領域はそれぞれ、アーチワイヤスロットの長手方向軸に対して平行な面内に、タイウィング下方領域の外方端部に隣接する位置にてアーチワイヤスロットが開くのと同一の方向に延在する湾曲部を備える。【選択図】図1
2017047216.tif 000002
【特許請求の範囲】
【請求項１】
結紮線とともにアーチワイヤを歯に結合させるための歯科矯正ブラケットであって、
前記歯に取り付けられるように構成されたブラケット本体であって、前記ブラケット本体は、前記ブラケット本体の一方側に開いて前記アーチワイヤを中に受け入れるように適合されたアーチワイヤスロットと、前記ブラケット本体から延在する少なくとも2つのタイウィングとを備え、前記少なくとも2つのタイウィングはそれぞれ、先端領域およびタイウィング下方領域を有し、前記タイウィング下方領域は、前記結紮線を受けるように構成される、ブラケット本体
を備え、
前記タイウィング下方領域はそれぞれ、前記アーチワイヤスロットの長手方向軸に対して平行な面内に、前記タイウィング下方領域の外方端部に隣接する位置にて前記アーチワイヤスロットが開くのと同一の方向に延在する湾曲部を備える、歯科矯正ブラケット。
【請求項２】
前記湾曲部は、少なくとも約0.010インチの半径により画定される、請求項1に記載の歯科矯正ブラケット。
【請求項３】
前記湾曲部は、少なくとも約0.030インチの半径により画定される、請求項1に記載の歯科矯正ブラケット。
【請求項４】
前記タイウィング下方領域同士の間に線形延在部分をさらに備える、請求項1に記載の歯科矯正ブラケット。
【請求項５】
前記少なくとも2つのタイウィングの前記先端領域がそれぞれ、対応するタイウィング下方領域の湾曲部と同一方向に湾曲部を備える、請求項1に記載の歯科矯正ブラケット。
【請求項６】
各先端領域の前記湾曲部は、少なくとも約0.010インチの半径により画定される、請求項5に記載の歯科矯正ブラケット。
【請求項７】
各先端領域の前記湾曲部は、少なくとも約0.030インチの半径により画定される、請求項5に記載の歯科矯正ブラケット。
【請求項８】
各先端領域の曲率は、対応するタイウィング下方領域の曲率と同一である、請求項5に記載の歯科矯正ブラケット。
【請求項９】
開位置と閉位置との間で前記アーチワイヤスロットに対して可動である結紮部材をさらに備える、請求項1に記載の歯科矯正ブラケット。
【請求項１０】
各タイウィング下方領域が、前記アーチワイヤスロットの前記長手方向軸に対して垂直な第1の面内に凹状湾曲部を有する、請求項1に記載の歯科矯正ブラケット。
【請求項１１】
各先端領域が、各タイウィング下方領域と前記アーチワイヤスロットの前記長手方向軸に対して垂直な前記第1の面内の対応する先端領域との間にS字形状曲線を形成するように、前記アーチワイヤスロットの前記長手方向軸に対して垂直な前記第1の面内に凸状湾曲部を有する、請求項10に記載の歯科矯正ブラケット。
【請求項１２】
各タイウィング下方領域が、前記アーチワイヤスロットの前記長手方向軸に対して垂直な前記第1の面内の対応する前記凹状湾曲部と同等である、前記アーチワイヤスロットの前記長手方向軸に対して垂直な第2の面内の凹状湾曲部を有し、凹状曲率が、前記第1の面と前記第2の面との間で前記タイウィング下方領域に沿って一定である、請求項10に記載の歯科矯正ブラケット。
【請求項１３】
前記タイウィング下方領域はそれぞれ、前記タイウィング下方領域の外方端部に隣接する位置にて前記アーチワイヤスロットが開口するのと同一方向に、前記アーチワイヤスロットのベース表面の上方に位置決めされる、請求項1に記載の歯科矯正ブラケット。
【請求項１４】
結紮線とともにアーチワイヤを歯に結合させるための歯科矯正ブラケットであって、
前記歯に取り付けられるように構成されたブラケット本体であって、前記ブラケット本体は、前記ブラケット本体の一方側に開いて前記アーチワイヤを中に受け入れるように適合されたアーチワイヤスロットと、前記ブラケット本体から延在する少なくとも2つのタイウィングとを備え、前記少なくとも2つのタイウィングはそれぞれ、先端領域およびタイウィング下方領域を有し、前記タイウィング下方領域は、前記結紮線を受けるように構成される、ブラケット本体
を備え、
前記先端領域はそれぞれ、対応するタイウィング下方領域の外方端部に隣接する位置にて前記アーチワイヤスロットが開くのと同一の方向に曲率半径を備える、歯科矯正ブラケット。
【請求項１５】
アーチワイヤと歯とを結合させるための歯科矯正ブラケットであって、
前記歯に取り付けられるように構成されたブラケット本体であって、前記ブラケット本体は、前記アーチワイヤを中に受け入れるように適合されたアーチワイヤスロットと、前記ブラケット本体の近心側部に隣接する前記ブラケット本体の咬頭側部から延在する第1のタイウィングと、前記ブラケット本体の遠心側部に隣接する前記咬頭側部から延在する第2のタイウィングと、前記近心側部に隣接する前記ブラケット本体の歯肉側部から延在する第3のタイウィングと、前記遠心側部に隣接する前記歯肉側部から延在する第4のタイウィングと、前記第1のタイウィングと前記第2のタイウィングとの間に延在する咬頭側タイウィング下方領域と、前記第3のタイウィングと前記第4のタイウィングとの間に延在する歯肉側タイウィング下方領域とを備え、
前記咬頭側タイウィング下方領域および前記歯肉側タイウィング下方領域はそれぞれ、近心-遠心方向に延在する、および前記ブラケット本体の前記近心側部または前記遠心側部の少なくとも一方の近位の唇側方向に湾曲した経路を辿る、少なくとも1つの唇側方向に湾曲した部分を備える、歯科矯正ブラケット。
【発明の詳細な説明】
【技術分野】
【０００１】
本発明は、一般的には歯科矯正ブラケットに関し、より詳細にはタイウィングを有する歯科矯正ブラケットに関する。
【背景技術】
【０００２】
歯科矯正ブラケットは、患者の咬合を改善することを目的としたあらゆる矯正的歯科矯正治療の主要構成要素に相当する。従来の歯科矯正治療では、矯正歯科医または助手が、患者の歯にブラケットを固定し、次いで各ブラケットのスロットにアーチワイヤを係入する。アーチワイヤは、歯を正確な矯正位置に移動させる矯正力を印加する。小型弾性Oリングまたは弾性パワーチェーンなどの従来的な結紮線が、タイウィングにより各ブラケットスロット内にアーチワイヤを保持するために使用され得る。
【０００３】
ブラケットスロット内にアーチワイヤを保持するためにラッチまたはスライドなどの可動部材に頼ることによって結紮線の必要性を解消する自動結紮型歯科矯正ブラケットが展開されてきた。しかし、多くの自動結紮型歯科矯正ブラケットは、タイウィングを備え、歯科矯正治療の選択された段階の最中にアーチワイヤスロット内にアーチワイヤを固定する結紮線またはパワーチェーンを使用する。
【０００４】
従来的には、結紮線またはパワーチェーンは、ブラケットおよびアーチワイヤ上にこれを張り渡し、タイウィングの下方でこれを固定することにより、臨床医によって手動的に係合される。結紮線は、治療中は伸張状態に留まる。設置中には、結紮線またはパワーチェーンが、ブラケットの角を越えると、伸張されることによる結紮線またはパワーチェーンの弾性によって、タイウィングの下方の領域(「タイウィング下方領域」)にこの結紮線またはパワーチェーンが引き込まれて、歯科矯正ブラケットに結紮線が効果的に載置され、歯科矯正ブラケットにアーチワイヤが固定される。この設置プロセスの最中に、結紮線またはパワーチェーンは、ブラケットの角を越え、次いで歯科矯正ブラケットにアーチワイヤをしっかりと固定するのに十分なだけ戻るために、十分な弾性を有さなければならない。いくつかの例では、大きな伸張度により使用中に結紮線が破断する。
【０００５】
例として、結紮線は、ブラケット上への設置中に伸張されると破断する場合がある。これが生じると、矯正歯科医は、破断した結紮線を除去し、定位置に別の結紮線を固定しなければならない。さらに、処置設置後および治療中の結紮線の破断は珍しいことではない。そのため、このタイプの破断は、典型的には患者が診療所にいないときに生じる。その結果、患者は、破断した結紮線を交換するために臨床医のもとに予定外の訪問をすることになり得る。結紮線の破断と診療所の訪問との間の時間に、歯科矯正治療は、効果的でなくなり得るまたは矯正歯科医の治療計画通りではなくなり得る。さらに、これにより、治療時間および患者がブレースを着用しなければならない時間が増加し得る。
【先行技術文献】
【特許文献】
【０００６】
【特許文献１】米国特許第8,033,824号明細書
【発明の概要】
【発明が解決しようとする課題】
【０００７】
したがって、結紮線の故障リスクを軽減し、結紮線の設置を容易にする歯科矯正ブラケットの必要性が存在する。
【課題を解決するための手段】
【０００８】
結紮線を有するアーチワイヤを歯に結合させるための歯科矯正ブラケットが、歯に取り付けられるように構成されたブラケット本体を備え、ブラケット本体は、ブラケット本体の一方側に開いてアーチワイヤを中に受け入れるように適合されたアーチワイヤスロットを備える。少なくとも2つのタイウィングが、ブラケット本体から延在し、少なくとも2つのタイウィングはそれぞれ、先端領域およびタイウィング下方領域を有し、タイウィング下方領域は、結紮線を受けるように構成される。タイウィング下方領域はそれぞれ、アーチワイヤスロットの長手方向軸に対して平行な面内に、タイウィング下方領域の外方端部に隣接する位置にてアーチワイヤスロットが開くのと同一の方向に延在する湾曲部を備える。
【０００９】
例示の一実施形態では、各タイウィング下方領域の湾曲部は、少なくとも約0.010インチの半径により画定され得る。より具体的には、各タイウィング下方領域の湾曲部は、少なくとも0.030インチの半径により画定され得る。さらに、少なくとも2つのタイウィングの先端領域がそれぞれ、対応するタイウィング下方領域の湾曲部と同一方向に湾曲部を備える。例示の一実施形態では、各先端領域の湾曲部は、少なくとも約0.010インチの半径により画定され得る。より具体的には、各先端領域の湾曲部は、少なくとも約0.030インチの半径により画定され得る。一実施形態では、各先端領域の曲率は、対応するタイウィング下方領域の曲率と実質的に同一である。タイウィング下方領域はそれぞれ、タイウィング下方領域の外方端部に隣接する位置にてアーチワイヤスロットが開口するのと同一方向に、アーチワイヤスロットのベース表面の上方に位置決めされ得る。歯科矯正ブラケットは、タイウィング下方領域同士の間に線形延在部分をさらに備え得る。
【００１０】
さらに、各タイウィング下方領域は、アーチワイヤスロットの長手方向軸に対して垂直な第1の面内に凹状湾曲部を有し得る。さらに、各先端領域は、各タイウィング下方領域とアーチワイヤスロットの長手方向軸に対して垂直な第1の面内の対応する先端領域との間にS字形状曲線を形成するように、アーチワイヤスロットの長手方向軸に対して垂直な第1の面内に凸状湾曲部を有し得る。一実施形態では、タイウィング下方領域は、アーチワイヤスロットの長手方向軸に対して垂直な第1の面内の対応する凹状湾曲部と実質的に同等である、アーチワイヤスロットの長手方向軸に対して垂直な第2の面内の凹状湾曲部を有し、凹状曲率が、第1の面と第2の面との間でタイウィング下方領域の少なくとも一部分に沿って実質的に一定となる。
【００１１】
別の実施形態では、結紮線を有するアーチワイヤを歯に結合させるための歯科矯正ブラケットが、歯に取り付けられるように構成されたブラケット本体を備え、このブラケット本体は、ブラケット本体の一方側に開いてアーチワイヤを中に受け入れるように適合されたアーチワイヤスロットを備える。少なくとも2つのタイウィングが、ブラケット本体から延在し、少なくとも2つのタイウィングはそれぞれ、先端領域およびタイウィング下方領域を有し、タイウィング下方領域は、結紮線を受けるように構成される。先端領域はそれぞれ、対応するタイウィング下方領域の外方端部に隣接する位置にてアーチワイヤスロットが開くのと同一の方向に曲率半径を備える。
【００１２】
さらに別の実施形態では、結紮線を有するアーチワイヤを歯に結合させるための歯科矯正ブラケットが、歯に取り付けられるように構成されたブラケット本体を備え、このブラケット本体は、アーチワイヤを中に受け入れるように適合されたアーチワイヤスロットと、ブラケット本体の近心側部に隣接するブラケット本体の咬頭側部から延在する第1のタイウィングと、ブラケット本体の遠心側部に隣接する咬頭側部から延在する第2のタイウィングと、近心側部に隣接するブラケット本体の歯肉側部から延在する第3のタイウィングと、遠心側部に隣接する歯肉側部から延在する第4のタイウィングとを備える。咬頭側タイウィング下方領域が、第1のタイウィングと第2のタイウィングとの間に延在し、歯肉側タイウィング下方領域が、第3のタイウィングと第4のタイウィングとの間に延在する。咬頭側タイウィング下方領域および歯肉側タイウィング下方領域はそれぞれ、近心-遠心方向に延在する、およびブラケット本体の近心側部または遠心側部の少なくとも一方の近位の唇側方向に湾曲した経路を辿る、少なくとも1つの唇側方向に湾曲した部分を備える。
【００１３】
本明細書に組み込まれ本明細書の一部を構成する添付の図面は、本発明の実施形態を示し、以下に示す詳細な説明と共に本発明を説明する役割を果たす。
【図面の簡単な説明】
【００１４】
【図１】本発明の一実施形態による歯科矯正ブラケットの斜視図である。
【図２】図1の歯科矯正ブラケットの代替的な斜視図である。
【図３Ａ】切断線3A-3Aに沿った図2の歯科矯正ブラケットの断面図である。
【図３Ｂ】切断線3B-3Bに沿った図1の歯科矯正ブラケットの断面図である。
【図４】図1および図2の歯科矯正ブラケットの正面立面図である。
【図５】図1および図2の歯科矯正ブラケットの側方立面図である。
【図５Ａ】図4の切断線5A-5Aに沿った断面図である。
【図５Ｂ】図4の切断線5B-5Bに沿った断面図である。
【図６】切断線6-6に沿った図1の歯科矯正ブラケットの部分断面図である。
【図７】切断線7-7に沿った図1の歯科矯正ブラケットの部分断面図である。
【図８Ａ】本発明の一実施形態による結紮線の例示的な設置を示す、図1の歯科矯正ブラケットの側方立面図である。
【図８Ｂ】本発明の一実施形態による結紮線の例示的な設置を示す、図1の歯科矯正ブラケットの側方立面図である。
【図８Ｃ】本発明の一実施形態による結紮線の例示的な設置を示す、図1の歯科矯正ブラケットの側方立面図である。
【図８Ｄ】本発明の一実施形態による結紮線の例示的な設置を示す、図1の歯科矯正ブラケットの側方立面図である。
【図９】従来の結紮線の代わりとしてのパワーチェーンを示す図1の歯科矯正ブラケットの斜視図である。
【発明を実施するための形態】
【００１５】
結紮線の破断は、歯科矯正治療においてよく生じるものである。この問題に対処するための現行の解決策は、破断した結紮線を新規のものと交換することである。その実施のためのコストおよび時間は、最小限に抑えられ、そのため臨床医は、一部の結紮線は破断し、臨床医はそれらを交換しなければならないだろうという想定下において単に施術を行う。本明細書では、「結紮線」という用語は、エラストマー結紮線を参照して使用される。これらには、いずれもOrmco Corporation, Orange Californiaから市販されるMolded「O」およびPower ChainなどのOリングタイプ結紮線が含まれるが、それらに限定されない。理論に拘束されるものではないが、結紮線の破断は、エラストマー材料の性質に固有のものである一方で、結紮線が配置される歯科矯正ブラケットにも関係するものと考えられている。これに関して、臨床医は、結紮線を断裂させることなく歯科矯正ブラケットおよびアーチワイヤの周囲に結紮線を伸張させることの難しさに直面し得る。結紮線が、その設置のために伸張されなければならない度合いがより高いほど、結紮線は、より高い張力状態および断裂リスクにおかれる。ブラケットの形状およびタイウィングに対するアーチワイヤスロットの配向により、設置中およびさらには使用中の結紮線の張力を緩めさせる恐れがあり、したがって結果としてこの結紮線の断裂をもたらす恐れがあると考えられる。その結果、結紮線は、その位置における起始に悲劇的にも失敗する場合がある。
【００１６】
歯科矯正ブラケットの形状不良は、コスト削減が結紮線の破断に悪影響を及ぼす点を理解せずに低コストでブラケットを製造することを求めた結果によるものである場合がある。例えば、ツインタイウィングが、典型的にはステンレス鋼ブロックから機械加工されるか、またはブラケット本体が、冶金的に鋳造されることによって作製される。本出願人は、機械加工および金属鋳造は、費用対効果が高い一方で、いくつかのブラケット形状についての可能性に関して限定され、結紮線の破断の観点から見て望ましくない形状をしばしばもたらす点に気付いた。破断した結紮線を交換するためのコストおよび時間を最小限に抑えるという観点から、歯科矯正ブラケットの製造業者は、依然として結紮線の故障をブラケットの形状に結び付けて考えてはいない。
【００１７】
より具体的には、先行技術のブラケット設計では、タイウィング下方からアーチワイヤスロット内に載置されたアーチワイヤ上方にかけてほぼ90°の急激の変転へと結紮線を誘導する必要があると考えられる。本出願人は、これが、結紮線とアーチワイヤとの間の接点において結紮線中に応力集中部をもたらす望ましくない形状であることに気付いた。この構成は、歯科矯正治療中の結紮線の破断リスクを増加させる。
【００１８】
設置中および歯科矯正治療中の結紮線破断に対処するために、ならびに次に図1および図2を参照すると、本発明の一実施形態によれば、歯科矯正ブラケット10は、中に形成されるアーチスロット16を画定するブラケット本体12を備える。アーチスロット16は、歯に対して正確な力を印加するためのアーチワイヤ18(仮想線で示す)を受け入れるように適合されている。ブラケット本体12は、以下で説明する2つ以上のタイウィングを備えてもよく、これらのタイウィングは、アーチワイヤスロット16に対する近心-遠心方向および咬頭-歯肉方向の一方または両方において丸みを帯びるかまたは湾曲状であり、タイウィングの下方およびアーチワイヤの上方に設置された場合の結紮線120の配向の急激な変転を軽減するためにアーチワイヤスロット16に対して配置される。本明細書に記載される曲線は、これらの全ての表面のエッジにおける単なる中断部ではなく、丸みエッジを形成するものである。
【００１９】
これらのために、歯科矯正ブラケット10は、ブラケット本体12に結合された可動クロージャ部材を備える自動結紮型歯科矯正ブラケットであってもよい。単なる一例として、可動クロージャ部材は、アーチワイヤ18を中に捕捉するために開位置(図示せず)と閉位置(図1および図2に示す)との間で摺動可能となるように摺動係合トラック15によりブラケット本体12と摺動可能に結合される結紮スライド14であってもよい。図示するように、結紮線120は、治療中にはアーチワイヤスロット16内にアーチワイヤ18を固定し得る。自動結紮型歯科矯正ブラケットが、図面に示され本明細書で説明されるが、本発明の実施形態は、ツインタイウィングタイプの歯科矯正ブラケットと、可動結紮部材を備えない他の歯科矯正ブラケットとを含む。これらのタイプのブラケットは、殆どの場合は、アーチワイヤスロット内にアーチワイヤを保持するために、エラストマー製および金属製の両方の結紮線と組み合わせて使用される。さらに、可動クロージャ部材が、結紮スライドとして本明細書では説明されるが、可動クロージャ部材は、開位置と閉位置との間で移動可能である他の可動構造体(例えばラッチ、ばねクリップ、ドア等)を備えてもよいため、本発明は、かように限定されるわけではない。
【００２０】
歯科矯正ブラケット10は、別様のことが指示されない限り、本明細書では下顎の歯の唇側表面に装着された基準フレームを使用して説明される。その結果、本明細書において、ブラケット10を説明するために使用される唇側、舌側、近心、遠心、咬頭側、および歯肉側のなどの用語は、選択された基準フレームに対するものである。しかし、本発明の実施形態は、選択された基準フレームおよび記述用語に限定されない。なぜならば、歯科矯正ブラケット10は、他の歯にもおよび口腔内での他の配向でも使用され得るからである。例えば、歯科矯正ブラケット10は、歯の舌側表面に結合されてもよく、本発明の範囲内に含まれ得る。本明細書で使用される記述用語は、基準フレームに変更点がある場合にはそのままは当てはまらない場合がある点が当業者には理解されよう。しかし、本発明の実施形態は、口腔内での位置および配向とは無関係なものとして意図され、歯科矯正ブラケットの実施形態を説明するために使用される相対語は、図面中の実施形態の説明を専ら明確にするためのものである。そのため、唇側、舌側、近心、遠心、咬頭側、および歯肉側のなどの相対語は、いかなる意味においてもある特定の位置または配向に本発明を限定するものではない。
【００２１】
これに関して、例示の一配向では、ブラケット本体12は、患者の下顎に担持される歯の唇側表面に取り付けられた場合に、舌側部20、咬頭側部22、歯肉側部24、近心側部26、遠心側部28、および唇側部30を有する。ブラケット本体12の舌側部20は、例えば適切な歯科矯正セメントもしくは歯科矯正接着剤によって、または隣接する歯の周囲のバンドによってなど、任意の従来の様式で歯に固定されるように構成される。
【００２２】
舌側部20は、接着剤により歯の表面に固定される結合ベースを画定するパッド32をさらに備えてもよい。パッド32は、別個の片または要素としてブラケット本体12に結合されてもよく、または代替的にはパッド32は、ブラケット本体12と共に一体的に形成されてもよい。例えばシャフトおよび球状端部(図示せず)を有する歯科矯正フックなどの形態の結合要素が、ブラケット本体12から延在し、隣接する歯上のハンドまたは他のフックなどの他の歯科矯正要素とブラケット本体12との結合を容易にしてもよい。
【００２３】
図1、図2、および図3Bを参照すると、ブラケット本体12は、ベース表面34と、アーチワイヤスロット16を共に画定するベース表面34から唇側方向に突出する一対の対向し合うスロット表面36、38とを備える。したがって、ベース表面34および対向し合うスロット表面36、38は、ブラケット本体12の近心側部26から遠心側部28に向かって近心-遠心方向に延在する。対向し合うスロット表面36、38およびベース表面34は、ブラケット本体12の材料内に実質的に入り組んだ位置をとる。ブラケット本体12のアーチワイヤスロット16は、任意の適切な様式でアーチワイヤ18を受けるように設計され得る。
【００２４】
一実施形態では、歯科矯正ブラケット10は、参照により本明細書にその全体が組み込まれる米国特許第8,033,824号に記載されるものなどの固定機構21(図3Aおよび図3Bに最も良く示される)を備え得る。固定機構21は、ブラケット本体12のボア67に挿入された全体的に細長の管状ばねピン23を備え得る。ばねピン23は、結紮スライド14に形成された保持スロット25と協働して、開位置と閉位置との間で結紮スライドを案内し、歯科治療中には一方または両方の位置に結紮スライドをロックし得る。図示するように、ばねピン23は、ブラケット本体12の切欠部69によりアクセス可能であってもよい。
【００２５】
図1および図3Bを参照すると、ブラケット本体12は、閉位置から開位置に結紮スライド14を摺動させるために臨床医が使用し得る器具(図示せず)を受けるための器具レセプタクル19を備え得る。
【００２６】
図1および図2に示すように、ブラケット本体12は、結紮線120を受けるタイウィングを備える。この例示の実施形態では、ブラケット本体12は、4つのタイウィングを、具体的にはブラケット本体12の咬頭側部22から延在する第1のタイウィング40および第2のタイウィング42(すなわち咬頭側タイウィング)と、ブラケット本体12の歯肉側部24から延在する第3のタイウィング44および第4のタイウィング46(すなわち歯肉側タイウィング)とを備える。図示する実施形態では、第1のタイウィング40および第3のタイウィング44は、ブラケット本体12の近心側部26に隣接し、第2のタイウィング42および第4のタイウィング46は、ブラケット本体12の遠心側部28に隣接する。したがって、タイウィング40、42、44、46は、離間され、ブラケット本体12の4つの最遠心角部を本質的に画定する。知られているように、タイウィング40、42、44、46は、結紮線120によるアーチワイヤ18などの他の歯科矯正デバイスと歯科矯正ブラケット10との結合を容易にする。結紮線120は、円形のものとして図示されるが、他の結紮線構成が本発明の実施形態にしたがって使用され得る点が理解されよう。
【００２７】
上述のように、一般的に、各タイウィング40、42、44、46は、丸みを帯びるかまたは湾曲状であり、歯科矯正ブラケット10上への設置中および歯科矯正治療中における結紮線120上の応力集中部を減少させる特定の様式で位置決めされる。有利には、設置中および歯科矯正治療中の結紮線の破断が、減少し得る。具体的には、ならびに図3Aおよび図4を参照すると、各タイウィング40、42、44、46は、各先端領域50、52、54、56および各タイウィング下方領域60、62、64、66を備え、これらはそれぞれ、近心-遠心方向および咬頭-歯肉方向の両方に湾曲状をなし得る、すなわち以下で説明するようにアーチワイヤスロット16の長手方向軸に対して垂直な面内および平行な面内において湾曲状をなし得る。
【００２８】
そのおよび他の目的のために、一実施形態では、ブラケット本体12は、第1のタイウィング40と第2のタイウィング42との間にブラケット本体12の咬頭側部22に沿って近心-遠心方向に延在し、近心側部26および遠心側部28の近位のタイウィング下方領域60および62のそれぞれと連続的になるように噛合する、咬頭側中間体領域70を備える。同様に、ブラケット本体12は、第3のタイウィング44と第4のタイウィング46との間に歯肉側部24に沿って近心-遠心方向に延在し、近心側部26および遠心側部28の近位のタイウィング下方領域64および66のそれぞれと噛合する、歯肉側中間体領域72を備える。中間体領域70、72が図示され説明されるが、本発明の実施形態は、図示するような離間されたタイウィング同士の間に中間体領域を備えるものに限定されない。例えば、歯科矯正ブラケットは、アーチワイヤスロットの各側部に単一のタイウィングを備えてもよく(すなわち自動結紮型歯科矯正ブラケットにおいて一般的であるように、一方は咬合側に延在し、他方は歯肉側に延在する2つのタイウィング)、それらのタイウィングは、実質的に近心側部から遠心側部まで延在してもよく、およびしたがって中間体領域70、72は、存在しない。
【００２９】
図3Aおよび図3Bに最も良く示すように、中間体領域70および72は、トラフ状の外観をそれぞれが呈するように咬頭-歯肉方向にU字形状断面を有して湾曲状をなす。アーチワイヤスロット16の長手方向軸に対して垂直な面内における中間体領域70および72の湾曲部は、結紮線が、中間体領域70、72内にある場合に結紮線の外周部の大部分に沿って支持されるように、結紮線の断面プロファイルに対応し得る。例えば、中間体領域70および72は、結紮線の直径と実質的に均等なまたはそれよりも大きな直径の円形断面を有し得る。一実施形態では、中間体領域70および72は、直径が約0.022インチの円形断面を画定し得る。
【００３０】
図3Aを続いて参照すると、固定機構21の底部表面は、中間体領域72を妨げ得る。しかし、固定機構21の底部表面は、タイウィング44、46により受けられた結紮線の経路との干渉を最小限に抑えるように構成され得る。例えば、図示しないが、固定機構21の底部表面は、中間体領域72の少なくとも一部分とほぼ同一平面をなしてもよい。このようにすることで、固定機構21の底部表面は、中間体領域72の一部を形成するものと見なされ得る。代替的には、固定機構21は、中間体領域72から奥まった位置をとってもよい。
【００３１】
図5に示すように、各中間体領域70、72は、近心側部26および遠心側部28から見た場合に、タイウィング下方領域60、62、64、66が、対応する中間体領域70および72と共にほぼ漏斗状の構成の外観を有するように、タイウィング下方領域60、62、64、66と連続する。タイウィング下方領域60、62、64、66は、近心側部26および遠心側部28のそれぞれへの中間体領域70、72の単純な直線状突出に比べて大きな領域にわたって近心側部26および遠心側部28の一方に開く。この大きな領域の特定の曲率が、結紮線の破断を軽減させると考えられる。
【００３２】
次に図4を参照すると、各先端領域50および52は、各タイウィング40および42の最舌側部分を形成し、平面内で唇側-舌側方向に丸みを帯びてもよい。この面は、咬頭側部22および/またはアーチワイヤスロット16のスロット側部36、38の一方もしくは両方に対して平行であってもよい。すなわち、先端領域50および52は、その最舌側部分から唇側部30に向かって唇側方向に湾曲状をなし得る。対照的に、先行技術のタイウィングの先端部は、典型的にはブラケットの各側部とほぼ垂直に交差するように直線状である。
【００３３】
図4に示すように、各タイウィング下方領域60および62は、先端領域50および52に対して同様の湾曲状経路(仮想線で図示)を辿ってもよく、そのためタイウィング下方領域60および62は、近心側部26および遠心側部28の近位の領域においてそれぞれ唇側方向に湾曲状をなす。タイウィング下方領域60および62ならびに先端領域50および52の一方または両方が湾曲状をなす距離は、タイウィング40、42の一方のエッジから最も近い側部26、28までとなり得る。換言すれば、タイウィング40、42の全近心-遠心方向幅は、タイウィング下方領域60および62ならびに先端領域50および52の一方または両方において湾曲状をなし得る。しかし、部分的湾曲を有するタイウィングが予期されるため、本発明の実施形態は、全幅の湾曲に限定されない。例えば、湾曲部は、約0.010インチ〜約0.050インチの、およびさらなる例としては約0.010インチ〜約0.030インチの距離まで、一方の側部26、28から内方へと延在してもよい。これに関連して、タイウィング40、42は、タイウィング下方領域60および62ならびに先端領域50および52が延在する距離にわたる湾曲部よりも若干幅広であり得る。図4には示さないが、各タイウィング44および46のタイウィング下方領域64および66ならびに先端領域54および56はそれぞれ、タイウィング40および42と同様の様式で唇側-舌側方向に丸みを帯びてもよい。
【００３４】
さらに、一実施形態では、タイウィング下方領域60、62、64、66および先端領域50、52、54、56のそれぞれの曲率は、ある曲率半径により規定され、したがってエッジまたは不連続部を有さなくてもよい。図4を参照すると、先端領域50、52およびタイウィング下方領域60、62の唇側曲率は、中間体領域70の最唇側表面(仮想線で図示)との比較により規定され得る。図示するように、中間体領域70は、タイウィング40とタイウィング42との間に直線で延在して、各端部にてタイウィング下方領域60および62と接合する。中間体領域70の直線は、アーチワイヤスロット16のベース表面34と平行であり得る。タイウィング下方領域60および62の対応する表面もまた、仮想線で図示される。
【００３５】
図示するように、タイウィング下方領域60および62は、中間体領域70の対応する表面に対して唇側方向に曲がる。唇側方向に曲がることにより、湾曲部は、タイウィング下方領域60については近心側部26で唇側部30に向かうものとなり、タイウィング下方領域62については遠心側部28で唇側部30に向かうものとなる。中間体領域70に対して、図4で仮想線により示されるように、タイウィング下方領域60および62の曲率は、半径74および76のそれぞれにより規定され得る。仮想線により表される中間体領域70は、タイウィング下方領域60および62が各タイウィング40、42の全幅にわたり延在する実施形態では、中間体領域70の各端部にて各半径74、76に対する接線となり得る。他の実施形態では、中間体領域70は、半径74、76に対する接線となるタイウィング下方領域60および62の直線状部分へと移行する。いずれの実施形態においても、半径74、76は、約0.010インチ〜約0.050インチであってもよく、さらなる例としては、半径74、76の一方または両方が、約0.010インチ〜約0.030インチであってもよい。図示しないが、タイウィング下方領域64、66は、歯肉側中間体領域72に関して同一または同様の曲率を有し得る。
【００３６】
図4を続いて参照すると、先端領域50および52は、先端領域50および52が、それらの各側部26、28にて唇側-舌側方向にまたは唇側部30に向かって湾曲状をなすように、半径78および半径80により少なくとも部分的にそれぞれ画定され得る。例えば、半径78および80は、少なくとも1つの対向し合うスロット表面36および/または38とほぼ平行な面内に位置し得る。一実施形態では、半径78および半径80は、先端領域50、52の最舌側表面が、対応するタイウィング下方領域60、62の最舌側表面に対して平行になるように、半径74および半径76とそれぞれ同一であってもよい。
【００３７】
図4に示すように、タイウィング40、42の先端領域50、52は、仮想線で示されるように、中間体領域70の最唇側表面と平行な表面を備えてもよく、それにより先端領域50、52の一部分が、対応する半径78、80により画定される先端領域50、52の別の部分と直線状になる。図示しないが、先端領域54、56は、タイウィング下方領域64、66に関して同一または同様の曲率を有し得る。すなわち、先端領域54、56の最舌側表面は、タイウィング下方領域64、66の最唇側表面に対して平行となり得る。
【００３８】
唇側-舌側方向において湾曲状をなすのに加えて、先端領域50、52、54、56およびタイウィング下方領域60,62、64、66はそれぞれ、咬頭-歯肉方向において湾曲状をなし得るか、またはアーチワイヤスロット16の長手方向軸に対してほぼ垂直をなす面内で湾曲状をなし得る。
【００３９】
アーチワイヤスロット16の長手方向軸に対してほぼ垂直である面に関して、3つの面が、図5、図5A、および図5Bを参照としつつ図4に示される。初めに、遠心側部28の面を示す図5を参照すると、先端領域52、56は、遠心側部28とほぼ平行である面内に凸状湾曲部を概して有する一方で、タイウィング下方領域62、66は、同一面内に凹状湾曲部を有する。この結果として、タイウィング下方領域62、66と対応する先端領域52、56との間にS字形状曲線が得られる。領域52および62ならびに56および66のそれぞれの湾曲部は、共に噛合して、例えば遠心側部28と平行な面内などにタイウィング42および46のそれぞれについて平滑かつ連続的な湾曲部を形成し得る。図示しないが、タイウィング40および44は、タイウィング42および46と同様のS字形状湾曲部を有し得る。
【００４０】
一実施形態では、タイウィング下方領域62および66ならびに先端領域52および56は、遠心側部28の面内またはその近傍において対応する曲率半径によって部分的に規定される。特に、および図5を参照すると、タイウィング下方領域62は、遠心側部28に開き、遠心側部28との交差部または遠心側部28の近傍において半径84によって画定され得る。同様に、タイウィング下方領域66は、遠心側部28に開き、遠心側部28との交差部または遠心側部28の近傍において半径86によって画定され得る。一実施形態では、半径84は、半径86と同等であってもよく、すなわちタイウィング下方領域62および66は、遠心側部28との関係において同様に湾曲状をなし得る。専ら例として、および非限定的には、各半径84および86は、約0.005インチ〜約0.020インチであってもよく、さらなる例としては、各半径84および86は、約0.010インチであってもよい。
【００４１】
また、各先端領域52および56は、ある曲率半径により同様の様式で画定され得る。特に、先端領域52は、半径88によって部分的に画定され、先端領域56は、半径90によって部分的に画定され得る。各半径88および90は、半径84および86に関連して上述したように、遠心側部28の面内にまたは遠心側部28の近傍に位置し得る。半径84により画定される湾曲部と半径88により画定される湾曲部との間の移行は、平滑かつ連続的であり得る。さらに、半径86により画定される湾曲部と半径90により画定される湾曲部との間の移行は、平滑かつ連続的であり得る。このようにすることで、半径84および88は、遠心側部28にてタイウィング42の湾曲部を画定し、半径86および90は、遠心側部28にてタイウィング46の湾曲部を画定する。専ら例として、および非限定的には、各半径88および90は、約0.005インチ〜約0.030インチであってもよく、さらなる例として、各半径84および86は、約0.010インチであってもよい。図示しないが、先端領域50および54ならびにタイウィング下方領域60および64は、先端領域52および56および/またはタイウィング下方領域62および64の一方または両方と同一の構成を有し得る。
【００４２】
図5Aを参照すると、一実施形態では、遠心側部28からオフセットするがほぼ平行である面に、およびタイウィング42内にて、タイウィング下方領域62は、半径92によって画定され、先端領域52は、半径94によって画定され得る。同様に、遠心側部28からオフセットしたタイウィング46内の同一面内にて、タイウィング下方領域66は、半径96によって画定され、先端領域56は、半径98によって画定され得る。各半径92、94、96、98は、図4の切断線の図5Aとの比較により示されるように、遠心側部28からオフセットされ得る。しかし、一実施形態では、各半径92、94、96、98もまた、舌側方向においてまたは図5に示す対応する半径84、86、88、90に対する舌側部20に向かってオフセットされる。このオフセットは、タイウィング42については図5Aで距離「A」により示され、タイウィング46については距離「B」によって示される。専ら例として、および非限定的には、各距離AおよびBは、約0.010インチ未満であってもよく、半径76および/または半径80(図4)と、タイウィング46の同様の半径と、これらの半径が位置決めされる面の位置とにより決定され得る。図示しないが、タイウィング40、44の先端領域50、54は、同様の半径を備えてもよく、これらの半径は、タイウィング42、46についての距離と同様の距離だけ舌側方向にオフセットされ得る。
【００４３】
一実施形態では、およびタイウィング42を参照すると、半径88は、半径94と同等であり、半径84は、半径92と同等である。これに関して、先端領域52およびタイウィング下方領域62のそれぞれについての遠心側部28の面(図5)内の曲率は、図5Aに示すように遠心側部28からオフセットした面内の曲率と同一である。換言すれば、遠心側部28にて半径84および88により規定される曲率は、半径92および94により規定される曲率と同一であり、それによりこの曲率は、各面にておよび各面同士の間で一定となる。したがって、タイウィング42の湾曲部は、半径76および80にしたがって舌側方向に単一の所定の曲率だけオフセットすることによって実現され得る。
【００４４】
図5Bを次に参照すると、図5Aに示す面から近心側部26に向かってオフセットした第2の面内においては、図4への言及により示されるように、タイウィング下方領域62は、半径102により画定され、先端領域52が、半径104により画定され得る。タイウィング46内の同一面内では、タイウィング下方領域66は、半径106により画定され、先端領域56は、半径108により画定され得る。各半径102、104、106、108は、遠心側部28からオフセットされ得る。しかし、一実施形態では、各半径102、104、106、108もまた、舌側方向にまたは図5Aの対応する半径92、94、96、98に対して舌側部20に向かってオフセットされる。この舌側方向オフセットは、タイウィング42については距離「C」により示され、図5Bではタイウィング46については距離「D」により示される。専ら例として、および非限定的には、各オフセットCおよびDは、約0.010インチ未満であり、図4と同様の様式でタイウィング下方領域62および66の唇側湾曲部を画定する半径によって決定され得る。図示しないが、タイウィング40、44の先端領域50、54は、同様の半径を備え、タイウィング42および46の先端領域54、56と同様の距離だけ舌側方向にオフセットされ得る。
【００４５】
一実施形態では、およびタイウィング42を参照すると、半径104は、各半径84、88、92、94、102と同等であり、半径106は、各半径86、90、96、98、108と同等である。これに関して、先端領域52およびタイウィング下方領域62のそれぞれについてのならびに先端領域56およびタイウィング下方領域66のそれぞれについて所与の面内の曲率は、遠心側部28からオフセットした別の面内の曲率と同一である。換言すれば、先端領域52、56およびタイウィング下方領域62、66の曲率は、アーチワイヤスロット16の長手方向軸に対してほぼ垂直をなす各面内で同一であるが、それらの曲率は、半径76および/または半径80とタイウィング46の同様の半径との一方または両方により決定されるように一方の面から隣の面まで唇側-舌側方向にオフセットされる。この構成により、先端領域52、56およびタイウィング下方領域62、66の各面内における曲率は、近心側部26または遠心側部28から舌側方向にオフセットする曲率と一定となる。この曲率における唇側オフセットのみが示されるが、曲率は、唇側方向におよびアーチワイヤスロット16の側壁部36、38に向かっての両方においてオフセットされ得る点が理解されよう。すなわち、曲率は、アーチワイヤスロット16に近似し得る。そのため、例えば、タイウィング下方領域62の曲率は、唇側方向におよび歯肉方向にオフセットされてもよく、タイウィング下方領域66の曲率は、唇側方向におよび咬頭方向にオフセットされてもよい。
【００４６】
一実施形態では、タイウィング40および42は、相互の鏡像であってもよく、タイウィング44および46は、相互の鏡像であってもよい。しかし、本発明の実施形態は、各タイウィング40、42、44、および46が、本明細書において開示される半径の範囲内において種々の半径によって画定され得るため、そのように限定されない。
【００４７】
曲率に加えて、図5、図5A、および図5BのそれぞれでS字形状曲線により表されるように、タイウィング40、42、44、46およびアーチワイヤスロット16の相対位置もまた、結紮線破断の軽減に寄与すると考えられる。図5に示すように、アーチワイヤスロット16に対するタイウィング40、42、44、46の唇側-舌側方向の位置決めもまた、結紮線120がブラケット本体12の近心側部26および遠心側部28のそれぞれにおいてアーチワイヤ18を唇側に横切る際の結紮線120の配向に影響を与える。特に、タイウィング下方領域60、62、64、66は、アーチワイヤスロット16のベース表面34の唇側に位置決めされ得る。アーチワイヤスロット16に対するタイウィング下方領域60、62、64、66のこの配向により、結紮線120がタイウィング下方領域から出て、アーチワイヤ18を乗り越えるように側部26、28間を移行するときに、結紮線120とブラケット本体12との間の角度が約90°から増大する。したがって、本発明の実施形態は、結紮線120が設置された場合に曲がる角度の鋭角度合いを緩和する。
【００４８】
一実施形態では、射出成形が、本発明の実施形態によるブラケット本体12の製造のために利用され得る。当技術で知られているように、射出成形は、金属微粒子および結合剤材料が共に混合され次いで型穴に射出される金属粉末射出成形(MIM)を含み得る。型穴は、ブラケット本体の形状であるが、より大きなサイズを有する。結合剤が硬化すると、典型的にはグリーンボディと呼ばれる被成形部分が、型から取り出される。グリーンボディは、結合剤材料を除去するために加熱されるかまたは他の方法で処理され、それによりブラケット本体の形状の金属粒子が残る。次いで、この物体は、焼結されて(圧力印加を含み得る)、金属粒子の密度および合着を高めることによってこの物体の強度がさらに改善される。焼結されると、ブラケット本体は、ばりを取り除くために研磨され得る。セラミック粒子のための同様の射出成形プロセスが知られており、セラミック射出成形(CIM)と呼ばれる。
【００４９】
上述のように、各タイウィング40、42、44、46の曲率およびアーチワイヤスロット16に対する配置が、結紮線破断を軽減すると考えられることが理解される一方で、全ての半径により規定される曲線は、歯科矯正ブラケットの強度に関連して考慮されなければならない。さらに、これらの曲線の生成は、一般的にはブラケット本体の強度を考慮することなく可能なことではなかった。
【００５０】
業界標準は、ブラケット本体12が、破断することなく製造プロセスおよび/または商業的利用に耐える最低強度を有することを要件とする場合がある。その結果、ブラケット本体12の各断面は、ブラケット本体12が歯科矯正治療に耐えるに必要な最低強度を少なくとも維持するように、最小厚さ要件を有し得る。例えば、ブラケット本体12の各断面は、約0.010インチ〜約0.015インチの間の最小厚さを有することを必要とされ得る。したがって、タイウィング下方領域60、62、64、66の各表面は、少なくとも所要の最小厚さを実現するためにブラケット本体12の他の表面から離間され得る。
【００５１】
器具レセプタクル19および摺動係合トラック15などのブラケット本体12の様々な特徴により、位置および曲率の大きさが限定される。なぜならば、所要の強度を実現するために、最小厚さがこれらの各領域においても維持されなければならないからである。図6を参照すると、タイウィング下方領域64、66は、少なくとも最小厚さにより摺動係合トラック15から離間され得る。同様に、別の実施形態では、タイウィング下方領域60、62は、レセプタクル19から同様に離間され得る。この例示の実施形態では、および図7を参照すると、切欠部130が、スロット表面36に隣接するブラケット本体12の唇側部30に形成され得る。この切欠部130は、スロット表面36の上方に延在し、結紮スライド14が閉位置にある場合に結紮スライド14の舌側部に係合するように構成された、レッジ132を画定する。タイウィング下方領域60、62は、少なくとも0.010インチのまたは約0.010インチ〜約0.015インチの距離をおいて切欠部130から離間され得る。
【００５２】
次に図8A〜図8Dを参照すると、結紮線120(仮想線で図示)は、アーチワイヤ18がアーチワイヤスロット16内に位置決めされた状態において、ブラケット本体12上に固定され得る。初めに、臨床医が、結紮線120を伸張し、矢印110により示される方向にタイウィング42を越えるように結紮線120を前進させ得る(図8A)。結紮線120が、先端領域52から外れると、および図8Bを参照すると、伸張されていることによる結紮線120の張力が、第2のタイウィング42の下方に結紮線120を引き、それにより結紮線が定位置に効果的に載置され得る(図8C)。追加としてまたは代替として、臨床医は、タイウィング42の下方に結紮線120を押し込んで、結紮線120を定位置に載置してもよい。次いで、このプロセスは、結紮線120の設置が完了する(図8D)まで、例えば第4のタイウィング46などの残りのタイウィングについても順次繰り返され得る(図8C)。
【００５３】
先端領域50、52、54、56の中の任意の1つまたはそれらの組合せの唇側方向に湾曲した経路は、結紮線120の固定プロセスを容易にし、結紮線120が設置中に断裂するリスクを軽減する。例えば、先端領域50、52、54、56の湾曲部は、結紮線120が歯科矯正ブラケット10に結紮線120を固定する場合に必要とされる伸張距離を最小限に抑え、したがって臨床医がブラケット本体12に結紮線120を固定するのをより容易にする。さらに、これにより、結紮線120が設置中に断裂するリスクが低下する。一実施形態では、先端領域50、52、54、56の湾曲部により、必要となる結紮線伸張量が約10%だけ低下し得る。この伸張距離は、唇側部30の幾何学的中心から先端領域50、52、54、56の中の1つの近心側部26および遠心側部28との交差部までの距離を測定することによって定量化され得るものであり、その一例の測定が、図4に示され、「E」で記される。実距離に関して、一実施形態では、唇側部30の幾何学的中心と図4に示す位置との間の距離は、0.0709インチであってもよく、先行技術による同等の距離(仮想線で図示)は、0.0784インチすなわち0.0075インチだけ距離が短いものとなる。
【００５４】
図8A〜図8Dを続いて参照すると、結紮線120が固定されると、タイウィング下方領域62、66の唇側方向に湾曲した経路により、図8Dに示すように、結紮線120は、弧状にアーチワイヤ18を越えて延在する。アーチワイヤスロット16に対するタイウィング下方領域60、62、64、66の湾曲状経路は、タイウィング下方領域60、62、64、66からブラケット本体12の近心側部26または遠心側部28まで緩い変転を結紮線120に与える。換言すれば、結紮線120は、タイウィング下方領域60、62、64、66を出てアーチワイヤ18を乗り越える際に、急激な変転を辿るようには強制されない。このようにすることで、タイウィング下方領域60、62、64、66の湾曲状経路もまた、治療中の結紮線破断を軽減させ得る。
【００５５】
結紮線120の設置が、連続的な段階的プロセスとして説明されたが、代替的には、臨床医は、同時におよび任意の組合せでタイウィング40、42、44、46の中の2つ以上に結紮線120を張ってもよい。例えば、臨床医は、同時にタイウィング40、42、44、46の中の全てに結紮線120を張ってもよい。いずれの場合でも、設置されると、結紮線120は、アーチワイヤスロット16内のアーチワイヤ18を結紮する。
【００５６】
次に図9を参照すると、パワーチェーン122が、Oリング結紮線120の代わりにブラケット本体12に対して固定され得る。先端領域50、52、54、56およびタイウィング下方領域60、62、64、66の湾曲状経路により、パワーチェーン122の固定プロセスが簡素化され、パワーチェーン122が結紮線120に関して説明したものと同様の様式で断裂するリスクが低下する。また、この実施形態では、タイウィング下方領域60、62、64、66の湾曲状経路は、パワーチェーン122がタイウィング下方領域60、62、64、66から出てアーチワイヤ18を越えて進む際に、近心-遠心方向において歯科矯正ブラケット10から離れるようにパワーチェーン122を配向するのを支援し得る。具体的には、タイウィング下方領域60、62、64、66の湾曲状経路は、歯科矯正ブラケット10から離れるように唇側方向におよび緩い軽減された角度変転でアーチワイヤ18を越えるようにパワーチェーン122を付勢し得る。また、このようにすることで、タイウィング下方領域60、62、64、66の湾曲状経路は、パワーチェーン122が治療中に故障するリスクを低下させ得る。
【００５７】
本発明が、様々な好ましい実施形態の説明により例示され、これらの実施形態が、幾分か詳細に説明されたが、かかる詳細に添付の特許請求の範囲を制約またはいかなる意味においても限定することは、本発明者の意図するところではない。さらなる利点および修正が、当業者には容易に明らかになろう。本発明の様々な特徴は、ユーザのニーズおよび好みに応じて単独でまたは任意の組合せで使用されてもよい。
【符号の説明】
【００５８】
10  歯科矯正ブラケット
12  ブラケット本体
14  結紮スライド
15  摺動係合トラック
16  アーチワイヤスロット
18  アーチワイヤ
19  器具レセプタクル
20  舌側部
21  固定機構
22  咬頭側部
23  管状ばねピン
24  歯肉側部
25  保持スロット
26  近心側部
28  遠心側部
30  唇側部
32  パッド
34  ベース表面
36  スロット表面
38  スロット表面
40  第1のタイウィング
42  第2のタイウィング
44  第3のタイウィング
46  第4のタイウィング
50  先端領域
52  先端領域
54  先端領域
56  先端領域
60  タイウィング下方領域
62  タイウィング下方領域
64  タイウィング下方領域
66  タイウィング下方領域
67  ボア
69  切欠部
70  咬頭側中間体領域
72  歯肉側中間体領域
74  半径
76  半径
78  半径
80  半径
84  半径
86  半径
88  半径
90  半径
92  半径
94  半径
96  半径
98  半径
102  半径
104  半径
106  半径
108  半径
110  矢印
120  結紮線
130  切欠部
132  レッジ
E  距離
【図１】
2017047216.tif 000003
【図２】
2017047216.tif 000004
【図３Ａ】
2017047216.tif 000005
【図３Ｂ】
2017047216.tif 000006
【図４】
2017047216.tif 000007
【図５】
2017047216.tif 000008
【図５Ａ】
2017047216.tif 000009
【図５Ｂ】
2017047216.tif 000010
【図６】
2017047216.tif 000011
【図７】
2017047216.tif 000012
【図８Ａ】
2017047216.tif 000013
【図８Ｂ】
2017047216.tif 000014
【図８Ｃ】
2017047216.tif 000015
【図８Ｄ】
2017047216.tif 000016
【図９】
2017047216.tif 000017
【外国語明細書】
2017047216000001.pdf